(57)【要約】【課題】紙幣案内板上に異物がこぼれた場合であっても、当該異物が筐体内の各種装置にかかることなく回収することが可能な遊技機を提供する。【解決手段】筐体と、前記筐体の前面開口部に設けられた扉体３と、扉体３に設けられた紙幣挿入口５２０と、紙幣挿入口５２０の下辺部より筐体前面方向に向けて突出し、紙幣を紙幣挿入口５２０に案内するための紙幣案内板５２Ａと、を遊技機は備える。紙幣案内板５２Ａは、複数の略直線状の開口溝５２４が列状に形成されている。紙幣案内板５２Ａ上に飲料等の異物がこぼれた場合であっても、紙幣挿入口５２０を通じて異物が筐体内部の各種装置にかかることなく回収することが可能となり、当該各種装置の破損を防止することが可能となる。【選択図】      図５
2004147879.tif 000002
【特許請求の範囲】
【請求項１】
筐体と、
前記筐体の前面開口部に設けられた扉体と、
前記扉体に設けられた紙幣挿入口と、
前記紙幣挿入口の下辺部より筐体前面方向に向けて突出した、紙幣を前記紙幣挿入口に案内するための紙幣案内板と、を備える遊技機であって、
前記紙幣案内板は、所定の大きさの異物を分離落下させる複数の異物落下口が形成されていることを特徴とする遊技機。
【請求項２】
前記紙幣案内板は、複数の略直線状の開口溝が列状に形成されていることを特徴とする請求項１記載の遊技機。
【請求項３】
前記紙幣案内板には、該開口溝を複数の領域に仕切るための仕切部材が形成されていることを特徴とする請求項１又は２記載の遊技機。
【請求項４】
前記仕切部材により仕切られた前記開口溝の各開口部の長さは、それぞれ該遊技機で使用されるコインの直径よりも小であることを特徴とする請求項３記載の遊技機。
【請求項５】
前記紙幣挿入口に着脱自在に取着されるとともに、前記開口溝を介して入った外部からの異物を導くために、前記紙幣挿入口に対向する第１の開口部と、下方に向けて開放された第２の開口部とを有する取着体を備え、
前記紙幣案内板は、前記第１の開口部を覆うように形成されていることを特徴とする請求項１から４いずれか記載の遊技機。
【請求項６】
前記紙幣案内板は、前記取着体に、別体として取り付けられていることを特徴とする請求項５記載の遊技機。
【発明の詳細な説明】
【０００１】
【発明の属する技術分野】
本発明は、遊技機に関するものである。
【０００２】
【従来の技術】
カジノなどに設置されている、ビデオポーカーやスロットマシン等の遊技機には、コインやメダルなどの代わりに直接紙幣を挿入するための、紙幣挿入口を備えたものもある（例えば、特許文献１）。
【０００３】
このような遊技機であれば、遊技者が手持ちのコイン等を切らした場合に紙幣からコイン等に両替するために、席を立ってわざわざ両替機に向かうことや、遊技場の係員を呼ぶことなしに、遊技を継続することが可能なのである。
【０００４】
そして、そのような紙幣挿入口の下辺部には、当該紙幣挿入口へ紙幣を案内するための紙幣案内板が設けられているものが多い。このように紙幣案内板を設けることにより、遊技者が、当該紙幣挿入口に紙幣を挿入しやすくなるのである。
【０００５】
【特許文献１】
特開平９−１０６４７１号公報
【０００６】
【発明が解決しようとする課題】
しかしながら、遊技場においては簡単な食事や飲物をとりながら遊技を行う者も居り、何らかの弾みで当該紙幣案内板の上にこぼしてしまうことが起こりうる。また、遊技結果が自分の思い通りにならないことに苛立ち、手にしていた飲料を遊技機にかけてしまうといった不届きな者も存在する。
【０００７】
このような場合に、当該紙幣案内板は上方に面する部分の面積が比較的大きいので、他の部分と比較して、こぼされた飲料などの異物を受けやすい構造となっている。更に、当該紙幣案内板は紙幣挿入口に接して設けられているので、上述の異物は、当該紙幣挿入口へ混入してしまうおそれが生じるのである。
【０００８】
当該紙幣挿入口へ異物の混入は、遊技機の故障へと結びつくので、そのような事態を事前に防止する必要があった。
【０００９】
このような問題点に対して、紙幣案内板に、排水口を設けた遊技機が考えられたが、その遊技機は当該排水口が小さいために、目詰まりを起こしやすく、また、回収した液体は筐体の下方の空いたスペースにたれ流ししているに過ぎなかった。そのため、多量の水分がこぼされた場合には、排水性が充分でなく、結果的に筐体内部が汚染されてしまっていた。
【００１０】
本発明は、以上の問題点に鑑みてなされたものであり、その目的は、紙幣案内板上に異物がこぼれた場合であっても、当該異物が筐体内の各種装置にかかることなく回収することが可能な遊技機を提供することにある。
【００１１】
【課題を解決するための手段】
本発明は、紙幣案内板に複数の略直線状の開口溝を有し、当該紙幣案内板上にこぼれた液体等の異物を、当該開口溝を介して回収することの可能な遊技機を提供する。
【００１２】
より具体的には、本発明は、以下のようなものを提供する。
【００１３】
（１）  筐体と、前記筐体の前面開口部に設けられた扉体と、前記扉体に設けられた紙幣挿入口と、前記紙幣挿入口の下辺部より筐体前面方向に向けて突出した、紙幣を前記紙幣挿入口に案内するための紙幣案内板と、を備える遊技機であって、前記紙幣案内板は、所定の大きさの異物を分離落下させる複数の異物落下口が形成されていることを特徴とする遊技機。
【００１４】
上述した（１）の発明によれば、筐体と、前記筐体の前面開口部に設けられた扉体と、前記扉体に設けられた紙幣挿入口と、前記紙幣挿入口の下辺部より筐体前面方向に向けて突出した、紙幣を前記紙幣挿入口に案内するための紙幣案内板と、を備える遊技機において、「所定の大きさの異物を分離落下させる複数の異物落下口が形成されている」ように構成することにより、紙幣案内板上に飲料等の異物がこぼれた場合であっても、紙幣挿入口を通じて異物が筐体内部の各種装置にかかることなく回収することが可能となり、当該各種装置の破損を防止することが可能となる。
【００１５】
従来の遊技機においては、紙幣案内板の上に液体等の異物がこぼれてしまった場合には、そこから紙幣挿入口へと流れ込み、それが原因で内部の各種装置が故障してしまうといった問題があった。
【００１６】
そこで、本発明のように紙幣案内板に複数の略直線状の開口溝を設けることにより、当該異物を紙幣挿入口へ流入させることなく回収することが可能となるのである。
【００１７】
また、ただ排水口を設けた場合と比較して開口部の面積が広く取られているので、多量の水分であっても、一度に排水することが可能となり、多少のごみであれば目詰まりを起こしにくくすることが可能となるのである。
【００１８】
また、タバコの灰のような異物が当該紙幣案内板の上にこぼれた場合であっても、拭き取るよりも洗い流すことにより簡単に清掃することが可能となる。
【００１９】
更に、単なる排水口を設けた場合と比較して、デザイン性に優れるので、筐体全体のデザインを損なわずに設計することが可能となるのである。
【００２０】
（２）  前記紙幣案内板は、複数の略直線状の開口溝が列状に形成されていることを特徴とする（１）記載の遊技機。
【００２１】
上述した（２）の発明によれば、（１）記載の遊技機において「前記紙幣案内板は、複数の略直線状の開口溝が列状に形成されている」ように構成することにより、紙幣案内板上に飲料等の異物がこぼれた場合であっても、紙幣挿入口を通じて異物が筐体内部の各種装置にかかることなく回収することが可能となり、当該各種装置の破損を防止することが可能となる。
【００２２】
従来の遊技機においては、紙幣案内板の上に液体等の異物がこぼれてしまった場合には、そこから紙幣挿入口へと流れ込み、それが原因で内部の各種装置が故障してしまうといった問題があった。
【００２３】
そこで、本発明のように紙幣案内板に複数の略直線状の開口溝を設けることにより、当該異物を紙幣挿入口へ流入させることなく回収することが可能となるのである。
【００２４】
また、ただ排水口を設けた場合と比較して開口部の面積が広く取られているので、多量の水分であっても、一度に排水することが可能となり、多少のごみであれば目詰まりを起こしにくくすることが可能となるのである。
【００２５】
また、タバコの灰のような異物が当該紙幣案内板の上にこぼれた場合であっても、拭き取るよりも洗い流すことにより簡単に清掃することが可能となる。
【００２６】
更に、単なる排水口を設けた場合と比較して、デザイン性に優れるので、筐体全体のデザインを損なわずに設計することが可能となるのである。
【００２７】
（３）  前記紙幣案内板には、該開口溝を複数の領域に仕切るための仕切部材が形成されていることを特徴とする（１）又は（２）記載の遊技機。
【００２８】
上述した（３）の発明によれば、（１）又は（２）の遊技機において「前記紙幣案内板には、該開口溝を複数の領域に仕切るための仕切部材が形成されている」ように構成することにより、比較的大きな異物を開口溝に落としてしまうことを防ぐことが可能となり、該異物により内部の目詰まり、例えば、内部に設けられた異物誘導部などの目埋まり、を防止することが可能となる。
【００２９】
（４）  前記仕切部材により仕切られた前記開口溝の各開口部の長さは、それぞれ該遊技機で使用されるコインの直径よりも小であることを特徴とする（３）記載の遊技機。
【００３０】
上述した（４）の発明によれば、（３）の遊技機において「前記仕切部材により仕切られた前記開口溝の各開口部の長さは、それぞれ該遊技機で使用されるコインの直径よりも小である」ように構成することにより、遊技機に使用するためのコインを誤って紙幣誘導板上に落としてしまったような場合であっても、当該開口溝に落下してしまうことを防止することが可能となる。
【００３１】
（５）  前記紙幣挿入口に着脱自在に取着されるとともに、前記開口溝を介して入った外部からの異物を導くために、前記紙幣挿入口に対向する第１の開口部と、下方に向けて開放された第２の開口部とを有する取着体を備え、前記紙幣案内板は、前記第１の開口部を覆うように形成されていることを特徴とする（１）から（４）いずれか記載の遊技機。
【００３２】
上述した（５）の発明によれば、（１）から（４）いずれかの遊技機において「前記紙幣挿入口に着脱自在に取着されるとともに、前記開口溝を介して入った外部からの異物を導くために、前記紙幣挿入口に対向する第１の開口部と、下方に向けて開放された第２の開口部とを有する取着体を備え、前記紙幣案内板は、前記第１の開口部を覆うように形成されている」ように構成することにより、外部からの異物と接触する部分である取着体を筐体から容易に取り外しすることが可能となるので、洗浄や破損時の取り外しや交換などを容易とすることが可能となる。
【００３３】
（６）  前記紙幣案内板は、前記取着体に、別体として取り付けられていることを特徴とする（５）記載の遊技機。
【００３４】
上述した（６）の発明によれば、（５）の遊技機において「前記紙幣案内板は、前記取着体に、別体として取り付けられている」ように構成することにより、破損、汚損などによる交換の必要が生じた際であっても、紙幣案内板と取着体との両方を一度に交換する必要がなく、一方のみの交換で済ますことが可能となるので、部品交換にかかるコストを抑えることが可能となる。
【００３５】
【発明の実施の形態】
以下に、本発明の実施の形態について図面に基づいて説明する。尚、本実施の形態は、本発明をスロットマシンに適用して説明するが、本発明はこれに限らず、ビデオ遊技機、メダル遊技機、カード遊技機等、各種の遊技機に採用することができる。
【００３６】
次に、スロットマシンの構成を説明する。
【００３７】
図１はスロットマシン１の正面図である。スロットマシン１は、キャビネット２の開口部に扉体３が開閉自在に設けられている。また、キャビネットの上部にトップフレーム４が取り付けられている。トップフレーム４の正面には化粧パネル板４１が施されている。
【００３８】
遊技情報を表示する表示装置２１はキャビネット内に設置される。表示装置２１の表示を視認可能とするために、扉体３の上部には窓が形成され、表示装置２１の表示を視認可能とするため、あるいは表示装置２１を保護するための透明板が前記窓に取り付けられている。そして、前記窓の両翼には、遊技状態に応じて発生される効果音あるいは効果音楽を聴覚容易とするための透過孔が形成されている。
【００３９】
扉体３の正面中央部には突出する形で操作部５が配置されている。操作部５の右側の傾斜面には、各種操作ボタンが配列されると共にコインを投入するコイン投入口５１が備えられている。操作部５の右側には、キャビネット２内に収納される紙幣識別機（ビルバリデータ）に紙幣を案内するための紙幣案内部５２が備えられている。
【００４０】
操作部５の下部には、扉体３と開閉自在に連結する枠体６が設けられている。枠体６には化粧パネル板６１が内包されている。枠体６の下部であって、扉体３の底部にはコインを収容するコイン受け皿３０が形成されている。
【００４１】
図２は操作部５の部分拡大図である。前述の紙幣案内部５２は紙幣案内板５２Ａと取着体５２Ｂで構成される。紙幣案内板５２Ａと取着体５２Ｂは一体となって、操作部５に取り付けられている。
【００４２】
図３は扉体３を開いた状態図である。図３に示されるように、キャビネット内には紙幣識別機２２と紙幣収容部２３が設置されている。紙幣識別機２２は、紙幣案内部５２から投入された紙幣の真偽あるいは良否を判定する。紙幣収容部（スタッカ）２３は、紙幣識別機２２で有効とされた紙幣を収容する。紙幣案内部５２の紙幣挿入口で案内された紙幣は、紙幣識別機２２の紙幣取入口に取り入れられる。
【００４３】
図４は紙幣案内板５２Ａの斜視図である。図４に示されるように、紙幣案内板５２Ａは複数の略直線状の溝５２１が列状に形成されている。紙幣案内板５２Ａには、紙幣案内面５２２に対して上面が僅かに沈んだ形で、溝５２１を複数の領域に仕切るための仕切部材５２３が形成されている。そして、図４に示されるように、仕切部材５２３により仕切られた溝５２１の各開口溝５２４の長さは、遊技機で使用されるコイン１０の直径よりも小さく形成されている。
【００４４】
図５は、紙幣案内板５２Ａと取着体５２Ｂが組み合わされた状態での縦断面図である。図５に示されるように、紙幣案内板５２Ａは、紙幣挿入空間となる紙幣挿入口５２０に着脱自在に取着される。また、紙幣が容易に取り入れられる様にするため、紙幣案内板５２Ａは、紙幣挿入口５２０の下辺部よりキャビネット２の前面方向に向けて突出している。
【００４５】
紙幣挿入口５２０を形成する周壁は下方に連続し、紙幣挿入口５２０と対向する第１の開口空間となる第１の開口部５２５を形成する。第１の開口部５２５を形成する周壁は更に下方に連続し、下方に向けて開放された第２の開口部５２６を形成する。紙幣挿入口５２０と開口部５２５と第２の開口部５２６は、下側が頂点となる概ね四角錐体の空間を形成する。そして、紙幣案内板５２Ａは、第１の開口部５２５を覆うように形成されている。なお、第１の開口部５２５と第２の開口部５２６は、開口溝５２４を介して外部から入った異物（例えば、水分）を導くためのものである。
【００４６】
図６は、紙幣案内部５２の斜視分解組立図である。図６において、紙幣案内板５２Ａの後壁には突起５２８Ａが形成されている。紙幣案内板５２Ａの前方下壁には円柱状突起５２８Ｂが形成されている。円柱状突起５２８Ｂに雌ねじが形成されている。一方、取着体５２Ｂの第１の開口部５２５の後方内壁には係止溝５２８Ｃが形成されている。紙幣案内板５２Ａの突起５２８Ａを取着体５２Ｂの係止溝５２８Ｃに挿入し、紙幣案内板５２Ａを第１の方向に回転すれば、紙幣案内板５２Ａは取着体５２Ｂに組み立てられる。取着体５２Ｂの係止溝５２８Ｃに突起５２８Ａを挿入した状態で、第１の方向と反対の第２の方向に回転すれば、紙幣案内板５２Ａを取着体５２Ｂから分離可能になる。
【００４７】
紙幣案内板５２Ａの円柱状突起５２８Ｂと取着体５２Ｂを固定ねじＢＦで固定し、紙幣案内板５２Ａと取着体５２Ｂを一体にする。そして、一体になった紙幣案内板５２Ａと取着体５２Ｂを、操作部５のコントロールパネル５０の切り欠き部に挿入する。次に、コントロールパネル５０に設けられた取り付けブラケット５０１に、一体になった紙幣案内板５２Ａと取着体５２Ｂを固定ねじＢＦで固定し、組立完了状態となる。
【００４８】
より具体的には、図５に示されるように、取着体５２Ｂの前部に形成された溝５２７をコントロールパネル５０の縁に挿入し、取着体５２Ｂをコントロールパネル５０側に倒す。取着体５２Ｂの鍔がコントロールパネル５０の上面に当接し、固定ねじＢＦで固定すれば、組立完了状態となる。
【００４９】
次に、作用を説明する。図４において説明されたように、紙幣案内板５２Ａは複数の略直線状の溝５２１が列状に形成されている。したがって、紙幣案内板上に飲料等の異物がこぼれた場合であっても、紙幣挿入口５２０を通じて異物が筐体内部の各種装置にかかることなく回収することが可能となり、当該各種装置の破損を防止することが可能となる。また、タバコの灰のような異物が当該紙幣案内板の上にこぼれた場合であっても、拭き取るよりも洗い流すことにより簡単に清掃することが可能となる。更に、単なる排水口を設けた場合と比較して、デザイン性に優れる。
【００５０】
更に、図４において説明されたように、溝５２１を複数の領域に仕切るための仕切部材５２３が形成されている。したがって、比較的大きな異物を開口溝に落としてしまうことを防ぐことが可能となり、該異物により内部の目詰まり、例えば、内部に設けられた異物誘導部（図５に示された第２の開口部５２６）などの目埋まりを防止することが可能となる。
【００５１】
また、前述の異物の対象としてはコイン１０の可能性が大きい。しかしながら、図４において説明されたように、仕切部材５２３により仕切られた溝５２１の各開口溝５２４の長さは、スロットマシン１で使用されるコイン１０の直径よりも小さく形成されている。したがって、スロットマシン１に使用するためのコイン１０を誤って紙幣案内板５２Ａ上に落としてしまったような場合であっても、開口溝５２４に落下してしまうことを防止することが可能となる。実施例では、開口溝５２４の最大長さは１８ミリメートルである。開口溝５２４の幅は３．５ミリメートルである。コイン１０の直径は２５ミリメートル、幅は１ミリメートル程度であり、コイン１０が内部に落ちることはない。
【００５２】
次に、図５と図６の作用について説明する。「紙幣挿入口５２０に着脱自在に取着されるとともに、開口溝５２４を介して入った外部からの異物を導くために、紙幣挿入口５２０に対向する第１の開口部５２５と、下方に向けて開放された第２の開口部５２６とを有する取着体５２Ｂを備え、紙幣案内板５２Ａは、第１の開口部５２５を覆うように形成されている」ことを図５と図６において説明した。前記のように構成することにより、外部からの異物と接触する部分である取着体を筐体から容易に取り外しすることが可能となるので、洗浄や破損時の取り外しや交換などを容易とすることが可能となる。
【００５３】
また、図６では、「紙幣案内板５２Ａの突起５２８Ａを取着体５２Ｂの係止溝５２８Ｃに挿入し、紙幣案内板５２Ａを第１の方向に回転すれば、紙幣案内板５２Ａは取着体５２Ｂに組み立てられる。取着体５２Ｂの係止溝５２８Ｃに突起５２８Ａを挿入した状態で、第１の方向と反対の第２の方向に回転すれば、紙幣案内板５２Ａを取着体５２Ｂから分離可能になる」ことを説明した。このことは、とりもなおさず、紙幣案内板５２Ａは取着体５２Ｂに別体として取り付けられていることを意味している。紙幣案内板別体として分離可能とすることにより、洗浄や破損時の取り外しや交換などを容易とすることが可能となる。
【００５４】
また、図６においては、紙幣案内板５２Ａと取着体５２Ｂを固定ねじＢＦ１本で固定できること、一体となった紙幣案内板５２Ａと取着体５２Ｂをコントロールパネル５０に固定ねじＢＦ１本で固定できることが実施の形態の優位性として掲げられる。
【００５５】
【発明の効果】
本発明によれば、紙幣を前記紙幣挿入口に案内するための紙幣案内板を備えた遊技機において「所定の大きさの異物を分離落下させる複数の異物落下口が形成されている」ように構成することにより、紙幣案内板上に飲料等の異物がこぼれた場合であっても、紙幣挿入口を通じて異物が筐体内部の各種装置にかかることなく回収することが可能となり、当該各種装置の破損を防止することが可能となる。
【００５６】
また、本発明によれば、前述の遊技機において、「前記紙幣案内板には、該開口溝を複数の領域に仕切るための仕切部材が形成されている」ように構成することにより、比較的大きな異物を開口溝に落としてしまうことを防ぐことが可能となり、該異物により内部の目詰まり、例えば、内部に設けられた異物誘導部などの目埋まり、を防止することが可能となる。
【００５７】
更に、本発明によれば、前述の遊技機において、「前記仕切部材により仕切られた前記開口溝の各開口部の長さは、それぞれ該遊技機で使用されるコインの直径よりも小である」ように構成することにより、遊技機に使用するためのコインを誤って紙幣誘導板上に落としてしまったような場合であっても、当該開口溝に落下してしまうことを防止することが可能となる。
【００５８】
また、本発明によれば、前述のいずれかの遊技機において、「前記紙幣挿入口に着脱自在に取着されるとともに、前記開口溝を介して入った外部からの異物を導くために、前記紙幣挿入口に対向する第１の開口部と、下方に向けて開放された第２の開口部とを有する取着体を備え、前記紙幣案内板は、前記第１の開口部を覆うように形成されている」ように構成することにより、外部からの異物と接触する部分である取着体を筐体から容易に取り外しすることが可能となるので、洗浄や破損時の取り外しや交換などを容易とすることが可能となる。
【図面の簡単な説明】
【図１】本発明におけるスロットマシンの正面図である。
【図２】本発明における操作部の部分拡大図である。
【図３】本発明における扉体を開いた状態図である。
【図４】本発明における紙幣案内板の斜視図である。
【図５】本発明における紙幣案内板５２Ａと取着体５２Ｂが組み合わされた状態での縦断面図である
【図６】本発明における紙幣案内部の斜視分解組立図である。
【符号の説明】
１  スロットマシン
２  キャビネット
３  扉体
３Ａ  折曲端
４  トップフレーム
５  操作部
６  枠体
１０  コイン
２１  表示装置
２２  紙幣識別機
２３  紙幣収容部
３０  コイン受け皿
４１  化粧パネル板
５０  コントロールパネル
５１  コイン投入口
５２  紙幣案内部
５２Ａ  紙幣案内板
５２Ｂ  取着体
５２０  紙幣挿入口
５２１  溝
５２２  紙幣案内面
５２３  仕切部材
５２４  開口溝
５２５  第１の開口部
５２６  第２の開口部
【図１】
2004147879.tif 000003
【図２】
2004147879.tif 000004
【図３】
2004147879.tif 000005
【図４】
2004147879.tif 000006
【図５】
2004147879.tif 000007
【図６】
2004147879.tif 000008